(57)【特許請求の範囲】
【請求項１】
表面に意匠が描かれた文字板と、
前記文字板の外周縁を囲むように起立して設置された見返板と、
前記見返板を前記文字板が位置する内面側に向けて貫通して該見返板から突出する表示部と、前記表示部に周設されるベゼルと、を有する液晶表示装置と、
前記表示部にバックライトが入射する光源と、
前記見返板における前記表示部が突出する箇所の外面側に位置し、前記表示部に備わる端子と嵌合する液晶用コネクタが実装された補助基板と、
前記見返板のうちの少なくとも前記表示部が突出する箇所の外面側、及び前記文字板の裏面側を覆うとともに、前記表示部が前記端子及び前記液晶用コネクタを介して接続された前記補助基板を該表示部が前記見返板から突出した状態で保持するケースと、
を備えたことを特徴とするメータ装置。
【請求項２】
前記見返板には、前記表示部が貫通するための溝が穿設され、
前記ベゼルには、前記溝を貫通した前記表示部に該ベゼルが組付けられた際に、前記溝の縁に係止する係止爪が形成されている、
ことを特徴とする請求項１に記載のメータ装置。
【請求項３】
前記光源は、前記補助基板に実装された液晶用光源からなり、
前記文字板は、前記表示部に対向する表面に、反射層が印刷された、
ことを特徴とする請求項２に記載のメータ装置。
【請求項４】
前記見返板には、前記溝が頂上に位置するように前記文字板が位置する内面側に向けて隆起した膨出部が形成され、
前記見返板には、前記溝と前記文字板との間に第１の照明孔が開口され、
前記ケースには、前記第１の照明孔に対応する部位に第２の照明孔が開口され、
前記液晶用光源は、前記補助基板の、前記第２の照明孔に対応する部位に実装される、
ことを特徴とする請求項３に記載のメータ装置。
【請求項５】
前記ケースには、前記表示部の変位を規制するリブが形成されている
ことを特徴とする請求項３または４に記載のメータ装置。
【請求項６】
前記リブのうちの、前記文字板に対向する前記表示部の裏面に当接するものには、前記液晶用光源からのバックライトを反射する処理が施されている
ことを特徴とする請求項５に記載のメータ装置。
【請求項７】
前記ケースにおける前記見返板に臨む面のうちの、前記第２の照明孔を囲む箇所には、前記液晶用光源からのバックライトを反射する処理が施されている、
ことを特徴とする請求項４に記載のメータ装置。
【発明の詳細な説明】
【技術分野】
【０００１】
本発明は、車両、航空機、船舶等に搭載されるメータ装置に関するものである。
【背景技術】
【０００２】
従来のメータ装置として、例えば図５（Ａ）及び図５（Ｂ）に示すものが知られている。即ち、このメータ装置１００は、目盛や数字等の意匠部分だけを白抜きで残しそれ以外を黒色等の遮光性のインクで塗布した文字板１１０と、文字板１１０の中央部を貫通して表面に突出した指針１２０と、液晶用光源１３２からの光で走行距離や警告灯など、主に補助的情報等を表示するために文字板１１０とほぼ同一レベル面に表示窓が配置されたＬＣＤ表示部１３０と、文字板１１０の裏面である背面側から照明光を投光させるＬＥＤの光源１４０などを備えている。なお、このメータ装置１００において、符号１５０は見返板、１６０は基板、１７０はムーブメント、１８０はケース、１８２は裏カバー、１９０はカバーガラスを示す。
【０００３】
ところで、近年、このメータ装置が車内のインテリアの一部として注目され始めており、メータ装置自体のデザイン性がインテリアの重要な要素の一つとなっている。そのため、例えばリングなどの装飾を施したり、立体文字板を用いたりすることで、意匠性を高めるような試みもなされている（特許文献１参照）。
【０００４】
図６（Ａ）及び図６（Ｂ）に示す特許文献１のメータ装置２００は、指針２１０の回動角度により速度を指示する指針計器として構成されているスピードメータであって、指針２１０、液晶表示器２２０、および文字板２３０のほかに、目盛リング２４０などを備えている。
【０００５】
このメータ装置２００では、指針２１０の前面側に、計器の指標としての目盛２４１が形成された指標部材である目盛リング２４０が、透光性材料、たとえば無色透明のポリカーボネート樹脂等で略Ｃ字状に形成されて配置されている。また、液晶表示器２２０は、フレーム２５０の表示窓部２５１に配置されており、この表示領域には、表示部材としてのドアインジケータＤおよびオド／トリップメータＫが形成されている。表示窓部２５１に固定された液晶表示器２２０及び目盛リング２４０の照明用の図示しない光源は、同じく図示しない電気接続手段、たとえばフレキシブル回路基板等を介してプリント基板２６０に接続されている。
【０００６】
このように、メータ装置２００では、目盛リング２４０などを付設して装飾性を高めることで、メータ装置としての付加価値も高める工夫がなされているものである。また、このメータ装置２００にあっては、指針２１０よりも視認者に近い表側、つまり手前側に液晶表示器２２０を突出させて設置する立体構造となっている。
【先行技術文献】
【特許文献】
【０００７】
【特許文献１】特開２００８−２９６４号公報
【発明の概要】
【発明が解決しようとする課題】
【０００８】
ところが、このように突出させた液晶表示器２２０には、バックライトとなる上述のような光源が必要である。従って、液晶表示器２２０では、この背面側である奥部に設けたプリント基板２６０と光源との間に配線を行う必要がある。一方、配線部分となる電気的接続部は外部から視認されないようにすることも必要でもある。そこで、この接続部分を露出させないようにその近傍領域を外部から完全に覆うため、見返板などの遮蔽部材を設けることが必要となっている。このような事情から、メータ装置の構造が大型化および複雑化し、延いてはコストアップや重量化を招く欠点がある。
【０００９】
本発明は、上述した事情に鑑みてなされたものであり、その目的は、表示部への給電用の配線を覆う遮蔽部材を設置しなくても、比較的簡易な構造で、文字板の外部に表示部を浮上させた立体配置が実現可能になり、しかも軽量かつ小型化も可能になるメータ装置を提供することにある。
【課題を解決するための手段】
【００１０】
前述した目的を達成するために、本発明に係るメータ装置は、下記（１）から（７）を特徴としている。
（１）  表面に意匠が描かれた文字板と、
前記文字板の外周縁を囲むように起立して設置された見返板と、
前記見返板を前記文字板が位置する内面側に向けて貫通して該見返板から突出する表示部と、前記表示部に周設されるベゼルと、を有する液晶表示装置と、
前記表示部にバックライトが入射する光源と、
前記見返板における前記表示部が突出する箇所の外面側に位置し、前記表示部に備わる端子と嵌合する液晶用コネクタが実装された補助基板と、
前記見返板のうちの少なくとも前記表示部が突出する箇所の外面側、及び前記文字板の裏面側を覆うとともに、前記表示部が前記端子及び前記液晶用コネクタを介して接続された前記補助基板を該表示部が前記見返板から突出した状態で保持するケースと、
を備えた、
こと。
（２）  上記（１）の構成のメータ装置であって、
前記見返板には、前記表示部が貫通するための溝が穿設され、
前記ベゼルには、前記溝を貫通した前記表示部に該ベゼルが組付けられた際に、前記溝の縁に係止する係止爪が形成されている、
こと。
（３）  上記（２）の構成のメータ装置であって、
前記光源は、前記補助基板に実装された液晶用光源からなり、
前記文字板は、前記表示部に対向する表面に、反射膜が塗布された、
こと。
（４）  上記（３）の構成のメータ装置であって、
前記見返板には、前記溝が頂上に位置するように前記文字板が位置する内面側に向けて隆起した膨出部が形成され、
前記見返板には、前記溝と前記文字板との間に第１の照明孔が開口され、
前記ケースには、前記第１の照明孔に対応する部位に第２の照明孔が開口され、
前記液晶用光源は、前記補助基板の、前記第２の照明孔に対応する部位に実装される、
こと。
（５）  上記（３）または（４）の構成のメータ装置であって、
前記ケースには、前記表示部の変位を規制するリブが形成されている
こと。
（６）  上記（５）の構成のメータ装置であって、
前記リブのうちの、前記文字板に対向する前記表示部の裏面に当接するものには、前記液晶用光源からのバックライトを反射する処理が施されている
こと。
（７）  上記（４）の構成のメータ装置であって、
前記ケースにおける前記見返板に臨む面のうちの、前記第２の照明孔を囲む箇所には、前記液晶用光源からのバックライトを反射する処理が施されている、
こと。
【００１１】
上記（１）に記載のメータ装置によれば、表示部が見返板を貫通して文字板中央に向けて突出している。即ち、液晶表示装置の給電用の配線は、態々専用の遮蔽部材を設けなくても、ケース及び見返板で覆われた内部空間内に設置することができる。換言すれば、比較的簡易な構造で、表示部を文字板よりも視聴者に近い位置に立体配置させることが可能となる。その結果、軽量小型化が可能になるだけでなく、立体的な表示構造により、視認者に対して視覚的な注目度を高めることが可能になる。しかも、意匠としての新鮮さや斬新さを強く印象付けることもできる。
また、一般には、このように表示部を配置させると、取付部分が脆弱かつ不安定で、破損し易い傾向がある。しかしながら、（１）に記載のメータ装置によれば、液晶表示装置がケースに支持されている。従って、車両の振動に伴う表示部の不安定さを回避できるとともに、破損を防止することが可能となる。
上記（２）に記載のメータ装置によれば、表示部がベゼルを介して見返板に固定される。このため、車両の振動に伴う表示部の不安定さを一層回避できるとともに、破損を防止することが可能となる。
上記（３）に記載のメータ装置によれば、液晶用光源からのバックライトのうち文字板の表面に入射する光を文字板が反射することで、表示部の背面へ向けて入射させる間接光として利用できる。従って、液晶用光源からの照明光のうち表示部背面とは反対方向に向かっていたものもバックライトとして利用できるようになるので、バックライトとしての利用効率が高まる。このため、表示部に表示される情報内容をさらに鮮やかに浮き出たせることができ、照明効果も高まる。
上記（４）に記載のメータ装置によれば、液晶用光源が出射した光が表示面裏面に導かれる。膨出部によって照明を行うことで、バックライトとしての照明光の利用の他に、表示部近傍の背後へ漏れ出る照明光により、深みと高級感のある照明も同時に得られる。
上記（５）に記載のメータ装置によれば、比較的簡易な構造によって表示部の変位を規制することができる。従って、液晶表示装置の基端部を、効果的に固定保持できる。これにより、液晶表示装置のさらなる小型化を図ることも可能となる。
上記（６）に記載のメータ装置によれば、リブが、表示部を支持する機能以外に、バックライトの一部を反射する反射板の機能を有するので、その分、照明効果がさらに向上するとともに、コストの削減、及びメータ装置の小型化をもたらすことができる。
上記（７）に記載のメータ装置によれば、ケースの液晶用光源に臨む部分が、液晶用光源からのバックライトの一部を反射する反射手段としての機能を有する。従って、その分、照明効果が一層向上するとともに、コストの削減、及びメータ装置のさらに一層の小型化をもたらすことができる。
【発明の効果】
【００１２】
本発明のメータ装置によれば、比較的簡易な構造で、表示部を文字板よりも外側に立体配置させることが可能となる。その結果、軽量小型化が可能になるとともに、立体的な表示構造により、視覚的な注目度を高めることが可能になる。またに、意匠としての新鮮さや斬新さを強く印象付けることもできる。
【００１３】
また、一般には、このように表示部を配置させた場合には、液晶表示装置の取付部分が脆弱かつ不安定で、破損し易い傾向となる。しかしながら、本発明のメータ装置では、液晶表示装置を見返板に対して安定して保持することができる。従って、車両の振動に伴う表示部の不安定さが回避でき、また破損を防止することも可能となる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本発明の実施形態に係るメータ装置であるスピードメータ装置を示す斜視図である。
【図２】図２は、図１に示すスピードメータ装置の断面図である。
【図３】図３は、図１に示すスピードメータ装置における液晶表示装置の取付構造を示す要部分解斜視図である。
【図４】図４は、図２の要部拡大断面図である。
【図５】図５（Ａ）及び図５（Ｂ）は、従来のメータ装置を示すものであって、図５（Ａ）は平面図、図５（Ｂ）は図５（Ａ）のＶＢ−ＶＢ線の矢視断面図である。
【図６】図６（Ａ）及び図６（Ｂ）は、従来の他のメータ装置を示すものであって、図６（Ａ）は平面図、図６（Ｂ）は図６（Ａ）のＶＩＢ−ＶＩＢ線の矢視断面図である。
【発明を実施するための形態】
【００１６】
以下、本発明の実施形態について、添付図面を参照しながら詳細に説明する。
【００１７】
図１及び図２は、本発明の実施形態に係るメータ装置１を示すものである。
このメータ装置１は、自動車用のスピードメータに適用されており、外部から視認させるべき数字Ｆや目盛Ｉなどの意匠が記載された文字板２と、この文字板２の中央部から表面２Ａに突出し、文字板２の意匠を指示する指針３と、外方に向けて拡開する状態で、文字板２の外周縁を囲むように起立して設置された見返板４と、液晶表示装置（以下、ＬＣＤ（Liquid Crystal Display）とよぶ）５と、ＬＣＤ５が接続される補助基板６と、ＬＣＤ５を安定状態に保持させる固定保持手段７と、補助基板６に実装された液晶用光源８と、文字板２、見返板４、補助基板６などを覆うケース９と、を備えている。
【００１８】
なお、図２中、符号１０は指針駆動用のムーブメント、１１は主基板１５に実装された指針用光源、１２はケース９と一体に形成され、凹状に湾曲した内面が反射面を構成する反射板、１３は裏カバー、１４はカバーガラス、をそれぞれ示す。
【００１９】
本実施形態のメータ装置１は、コンビネーションメータの一部を構成しており、表面側の全周が上述の見返板４で覆われている。また、この見返板４には、液晶表示装置５の後述する表示部５Ａ（トリップメータやオドメータ等の表示手段を構成する）を立体的に突設させており、図示外のコンビネーションメータケースと一体化されている。更に、この見返板４は、カバーガラス１４で表面側の開口部が覆われている。
【００２０】
文字板２は、適宜の薄板材などを用いて円盤状（又は半円盤状）に形成されており、視認者により外部から視認可能な表面２Ａに、意匠として、例えば、数字Ｆ、文字、記号など、車自体或いは車周辺の環境などに関する必要情報を印字している。本実施形態の文字板２の表面は、光反射率を向上させて、ＬＣＤ５の表示部５Ａへのバックライトの供給量を高めるために、白色系、淡青色系等の淡色系印刷を行っている。また、本実施形態の文字板２は、速度表示用の数字Ｆ及び目盛Ｉなどが表面２Ａに適宜の色で印字されている。
【００２１】
本実施形態の指針３は、メータ装置１を搭載する自動車の走行スピードに対応した速度表示を行うため、ムーブメント１０によって回転駆動するようになっている。このため、指針３には、これと一体の指針軸３１（図２参照）が設けられている。この指針軸３１は、ムーブメント１０に内蔵された図示外のステッパモータ及び必要な減速機構などと連結されており、図示外の速度検出器からの信号に応じた適宜の角度だけ回動する。
【００２２】
見返板４は、文字板２に対して起立するとともに、文字板２の外周縁全体を覆っている。本実施形態の見返板４は、通常のものと同様、黒色系の材質のもので形成されており、フック状の係止部材４Ａを用いてケース９との確実な結合と、正確な位置決めが行われる。また、この見返板４には、固定保持手段７の一部を構成する膨出部４１が形成される。
【００２３】
膨出部４１は、図２に示すように、指針３のある文字板２中央方向に向けて略ドーム状に湾曲した形状に形成される。膨出部４１には、この略中央部である頂上部で切り欠いた第２の細孔４２が穿設されている。第２の細孔４２には、当該第２の細孔４２を挿通したＬＣＤ５の表示部５Ａが後述するベゼル５Ｃを介して取付けられる。さらに、この膨出部４１には、液晶表示装置の表示部５Ａの取付部位である第２の細孔４２よりも文字板２側に第１の照明孔４３が開口される。
【００２４】
第１の照明孔４３は、図２及び図３に示すように、開口した内縁が文字板２と対面する方向に傾いており（図２参照）、かつ、見返板４を表示部５Ａの挿通方向から視た際に膨出部４１の頂点を中心とした扇型状に穿設される。このような開口形状にすれば、第１の照明孔４３を通過して外部へ進行するバックライトのうち、文字板２へ向かうバックライトを文字板２で反射させることで光路を反転させ、表示部５Ａの背面へ向かわせることが可能である。
【００２５】
ＬＣＤ５は、図２に示すように、各種の情報を液晶で表示する表示部５Ａと、表示部５Ａへの給電のための端子５Ｂと、後述するベゼル５Ｃとを備えている。本実施形態のＬＣＤ５は、例えば、表示情報領域以外の領域が透明である、ポジ型ＬＣＤで構成される。
【００２６】
表示部５Ａは、ＬＣＤ５の、基端部である端子５Ｂを除く、中央部から先端部に亘って表示面α（図３において、破線で囲設された矩形領域に対応する）が形成されている。即ち、この表示部５Ａは、見返板４と、ケース９の開口縁部に設けた後述する折返部９０とに対してＺ方向に上下貫いて嵌挿されている。従って、文字板２の中心方向に向けて見返板４の内周面の中間部分から突出する。具体的には、ＬＣＤ５の表示面αが、折返部９０に設けた第１の細孔９４及び見返板４の第２の細孔４２を貫通して外部に露出する状態で突出している。
【００２７】
また、表示部５Ａは、前述の細孔９４、４２に隣接状態で設けた後述の固定保持手段７でしっかりと安定状態に固定保持される。このように、表示部５Ａは、文字板２の中央に向けて突出した状態で設置されるので、視認者から眺めると表示部５Ａが立体的な表示状態として視認される。
【００２８】
端子５Ｂは、表示部５Ａへ駆動用の電力を供給させるものであって、基端部から補助基板６のある方向に向けて突設されており、補助基板６に実装の液晶用コネクタ６Ａと嵌合する。
【００２９】
また、ＬＣＤ５には、図３に示すように、透明細幅形状の枠で構成された略コ字状のベゼル５Ｃが表示部５Ａに周設される。ベゼル５Ｃには、左右両側の基端部にそれぞれＶ字状に分岐した脚部５Ｄ、５Ｅを一対ずつ有しており、互いに離間方向の弾性力を有する。脚部５Ｄ、５Ｅは、見返板４の細孔４２に係止する係止爪５Ｆと、係止状態を解除させる係止解除爪５Ｇとを備える。
【００３０】
補助基板６は、見返板４の膨出部４１の外側、つまり、見返板４の膨出部４１と、この膨出部４１の裏面を覆っているケース９との間の内部空間Ｓ（図２参照）に設置されている。より具体的には、補助基板６は、ケース９の一部の折返部９０から分岐した支承部９０Ａに設置されており、ＬＣＤ５を臨む、補助基板６の表面には液晶用コネクタ６Ａが実装される。この液晶用コネクタ６Ａは、図４に示すように、補助基板６の端部に設置した一方の接続コネクタ６Ｂ、フレキシブル基板（ＦＰＣ）１６、主基板１５の端部に設置した他方の接続コネクタ１５Ａを介して、主基板側と電気的な接続が図られている。
【００３１】
さらに、補助基板６には、見返板４の膨出部４１の第１の照明孔４３及びこの直下に開口する折返部９０の第２の照明孔９５の双方の開口部位との対応部位に、表示部５Ａへバックライトが出射するための液晶用光源８が実装される。
【００３２】
固定保持手段７は、ケース９の開口縁部に設けた折返部９０、及び見返板４の膨出部４１に対して、液晶表示装置５の表示部５Ａの基端側、より具体的には、表示部５Ａの表示面αを避けた基端側を保持する。本実施形態の固定保持手段７は、第１のリブ９１及び第３のリブ９３と、前述の第２の細孔４２と、前述の係止爪５Ｆと、を有する。第１のリブ９１及び第３のリブ９３は、ケース９の折返部９０に穿設された第１の細孔９４に臨む状態で、折返部９０に設けられる。第２の細孔４２は、膨出部４１の頂上部を通過するような状態で、表示部５Ａの水平断面よりも大きく穿設されている。係止爪５Ｆは、ベゼル５Ｃ両端の脚部５Ｄ、５Ｅに設けられており、見返板４の細孔４２に係止する。なお、係止爪５Ｆは、折返部９０の細孔９４に係止するものであっても、また細孔４２，９４の両方に係止する構成であってもよい。
【００３３】
液晶用光源８は、液晶表示用のバックライトを構成するものであって、出射する照明光により、表示部５Ａを背面側から間接照明する。液晶用光源８は、ＬＣＤ５による情報の表示色にもよるが、本実施形態では単一色での情報表示を行う都合上、これに対応する所定波長（λ）の可視光（つまり、バックライト）を出射する単一のＬＥＤ（Light Emitting Diode；発光ダイオード）が用いられている。なお、フルカラーで情報表示する場合には、可視光全帯域（凡そ、３８０ｎｍ〜７６０ｎｍ）をカバーするように、Ｒ，Ｇ，Ｂの３色の波長の光をそれぞれ出射する３種類のＬＥＤが用いる。
【００３４】
本実施形態の液晶用光源８は、補助基板６の、折返部９０の第２の照明孔９５及び見返板４の第１の照明孔４３がともに重なった状態で配置される所定の位置、即ち、直線状に形成された液晶用コネクタ６Ａの中央部における文字板２側に設置される。この液晶用光源８が出射する照明光により、表示部５Ａを背面側から間接照明することにより、視認者が外部から表示部５Ａを眺めると、立体的に浮き上がった状態に視認される。
【００３５】
ケース９は、見返板４の膨出部４１の外面側、及び文字板２の裏面側を覆うように配置される。ケース９には、見返板４の膨出部４１の凹状に窪んだ裏面と対面する状態で折返部９０が形成されている。折返部９０は、第１の細孔９４の開口縁から見返板４に向けて起立して形成される。また、第１の細孔９４は、見返板４の第２の細孔４２の直下に、第２の細孔４２と同一形状に穿設された孔である。また、ケース９には、第１の細孔９４の近傍であって、第１の照明孔４３の開口部分との対応部位には、第２の照明孔９５が開口される。第２の照明孔９５は、ケース９を表示部５Ａの挿通方向から視た際に見返板４の膨出部４１の頂点を中心とした扇型状に穿設される。
【００３６】
また、ケース９の折返部９０には、第１の細孔９４に臨む状態で、第１のリブ９１及び第２のリブ９２がそれぞれ一対ずつ立設される。第１のリブ９１は、表示部５Ａの表示面αよりも基端部に対して、その裏面に−Ｙ方向から係止する。一方、第２のリブ９２は、表示部５Ａの表示面αよりも基端部寄りの両側面に対して、±Ｘ方向から係止する。
【００３７】
また、ケース９の折返部９０には、第１の細孔９４に臨む状態で第１のリブ９１と対面する、略薄板状の第３のリブ９３も立設される。この第３のリブ９３が、表示面αを避けたＬＣＤ５の基端部を、第１のリブ９１との間で挟持する。また、第１のリブ９１は、第３のリブ９３と対面する裏面側が平滑加工されており、液晶用光源８からのバックライトを反射する反射手段として機能する。例えば、第１のリブ９１の裏面には、適宜の反射膜が形成された構成などであってもよい。ケース９は、第１のリブ９１、第２のリブ９２及び第３のリブ９３によって、見返板４の第２の細孔４２及びケース９の第１の細孔９４を貫通する表示部５Ａを保持している。
【００３８】
さらにケース９には、ケース９と一体に形成された反射板１２が形成される。反射板１２は、文字板２の裏面において凹状に湾曲した部分が大半を占めるが、第２の照明孔９５の内縁から補助基板６の表面に向かってさらに延びた部分も一部に存在する。このため、反射板１２の一部が第２の照明孔９５に臨む。反射板１２の第２の照明孔９５に臨む面、つまり前述の内部空間Ｓに臨む面には、反射面β（図４参照）が形成されている。反射面βは、液晶用光源８が搭載された、補助基板６の表面に臨んで配置されるので、バックライトの一部が反射面βの方向に進行して反射することで、光路を反転させて表示部５Ａに進行させることができる。
【００３９】
次に、本実施形態の作用について、主に図２を参照しながら説明する。なお、ここでのメータ装置１の説明は、各計器類のうち速度計を例に挙げてその作用を説明するが、特にこれに限定されるものではない。また、この作用については、他のアナログタイプのメータ装置の場合でも同様である。
【００４０】
メータ装置１のムーブメント１０の内部に設けたモータが、図示しない速度センサによって検出された現在速度に対応するセンサ信号に基づいて回転駆動する。そして、これに一体に接続されている指針３が回動し、文字板２の数字Ｆや目盛Ｉを指示する。
【００４１】
即ち、センサ信号に基づき、モータ側の出力軸及びこれと一体の指針軸３１が所定の角速度で回転を始め、指針軸３１を取り付けた指針３が所定角度だけ回動される。そして、指針３の先で文字板２上に印字された特定の数字Ｆや目盛Ｉを指し示す。これによって、現在速度を運転者などにアナログ表示させて知らせることができる。
【００４２】
このような速度表示を行うメータ装置１にあっては、特に夜間などの場合、ヘッドライトなどの点灯動作と同時に、指針用光源１１とともにＬＣＤ５の液晶用光源８も発光動作する。そして、液晶用光源８から出射するバックライトは、図２に示すように、その多くが表示部５Ａの裏面から間接照明光として入射する。
【００４３】
また、そのバックライトの一部は、ケース９と一体の反射板１２の反射面βで反射されたのち、第２の照明孔９５及びこの頂上の第１の照明孔４３の開口部分を通過したバックライトが、図２に示す光路を辿り、表示部５Ａ裏面から間接照明光として入射する。
【００４４】
また、液晶用光源８から出射するバックライトの一部は、第１のリブ９１に向かう。その一部のバックライトは、第１のリブ９１で反射すると、再び液晶用光源８の設置されている内部空間Ｓに送り込まれる。この結果、上述した図２のいずれかの光路を辿り、表示部５Ａの裏面から間接照明光として入射することもできる。
【００４５】
従って、本実施形態のメータ装置１によれば、従来のようなＬＣＤの給電用の配線を覆う見返しなどの遮蔽部材を設置しなくても、ＬＣＤ５を文字板２よりも外側位置に立体配置させることが可能となる。その結果、メータの視認者に対して、立体的な表示構造により視覚的な注目度を高めるとともに、意匠として新鮮さ、かつ、斬新さを強く印象付けることができる。
【００４６】
また、本実施形態のメータ装置１によれば、ケース９と一体に形成された反射板１２の反射面β及び同じく反射手段としての機能を有する第１のリブ９１を設けている。従って、照明効率の大幅な向上を図ることができ、特に立体照明効果を大幅にアップさせることができるようになる。別言すれば、見栄えやデザイン性が高いだけではなく、高級感のある照明構造を付与することができる。
【００４７】
さらに、本実施形態によれば、複数種類のものからなる固定保持手段７を備えているので、特に自動車などのような振動が長期間にわたって作用することが予想される乗り物に設置することなどを考慮すると、その効果が大きく期待される。
【００４８】
なお、本発明は、上述した実施形態に何ら限定されるものではなく、その要旨を逸脱しない範囲において種々の形態で実施し得るものである。例えば、本実施形態のＬＣＤは、意匠性はやや劣るが情報表示領域が透明なネガ型ＬＣＤで構成してもよい。その場合、裏面に導光板等によって照明を施し、かつ、文字板を黒色等の濃色系印刷を施した構成としてもよい。この場合には、文字板への間接光による照明は不要となる。また、ベゼル５Ｃを透明にしたが、銀色等の着色を施してもよい。
【００４９】
また、本実施形態では、補助基板６に液晶用光源８を実装させたが、例えば指針用光源１１あるいはこれとは別の光源を主基板１５に実装するとともに、文字板を透光性の良好な材料で形成し、主基板１５に実装させた光源からの照明光で文字板を透過させることで、ＬＣＤへのバックライトとしてもよい。
【００５０】
また、本発明の照明構造が適用されたメータ装置としては、例えば本実施形態のスピードメータ部の他に、例えば、タコメータ部、燃料計部、及び水温計等の各種計器類において、複数の計器をまとめて設置するような場合などへの適用が可能である。
【符号の説明】
【００５１】
１  メータ装置
２  文字板
２Ａ  表面
３  指針
３１  指針軸
４  見返板
４１  膨出部
４２  第２の細孔
４３  第１の照明孔
５  液晶表示装置（ＬＣＤ）
５Ａ  表示部
５Ｂ  端子
５Ｃ  ベゼル
５Ｄ、５Ｅ  脚部
５Ｆ  係止爪
５Ｇ  係止解除爪
６  補助基板
６Ａ  液晶用コネクタ
６Ｂ  一方の接続コネクタ
７  固定保持手段
８  液晶用光源
９  ケース
９０  折返部
９０Ａ  支承部
９１〜９３  第１のリブ乃至第３のリブ
９４  第１の細孔
９５  第２の照明孔
１０  ムーブメント
１１  指針用光源
１２  反射板
１３  裏カバー
１４  カバーガラス
１５  主基板
１５Ａ  他方の接続コネクタ
１６  フレキシブル基板（ＦＰＣ）
Ｆ  数字（意匠）
Ｉ  目盛（意匠）
Ｓ  見返板とケースとの間の内部空間
α  （表示部の）表示面
β  反射面（反射手段）
【図１】
0005993189.tif 000002
【図２】
0005993189.tif 000003
【図３】
0005993189.tif 000004
【図４】
0005993189.tif 000005
【図５】
0005993189.tif 000006
【図６】
0005993189.tif 000007